(57)【要約】      （修正有）【課題】箱内に入れた物の鮮度を保つことができる断熱箱であって、予め箱型に成形したものではなく使用時において組立て使用する、組立式断熱箱を提供する。【解決手段】発泡合成樹脂板３の外面又は外面及び内面の両面に発泡合成樹脂板３の厚さに対して十分薄い硬質合成樹脂板４を積層して成る板材を、方形状の底板２と、該底板２の長辺側両端部に垂直に配置して壁面を成す長辺側板６と、該底板２の短辺側両端部に垂直に配置して壁面を成す短辺側板１１とに形成して構成し、底板２と長辺側板６との固定に際し、底板２の長辺側端部を上下両面より挟持するとともに長辺側板６の下端部を内外両面より挟持して固定ができる固定部材１５と、長辺側板６と短辺側板１１との固定に際し、短辺側板１１の側端部を内外両面より挟持するとともに長辺側板６の側端部を内外両面より挟持して固定ができる固定部材１５を用いることにより箱体としての断熱箱を形成する。【選択図】図１
0003208996.tif 000002
【実用新案登録請求の範囲】
【請求項１】
発泡合成樹脂板の外面又は外面及び内面の両面に前記発泡合成樹脂板の厚さに対して十分薄い硬質合成樹脂板を積層して成る板材を、方形状の底板と、該底板の長辺側両端部に垂直に配置して壁面を成す長辺側板と、該底板の短辺側両端部に垂直に配置して壁面を成す短辺側板とに形成して構成し、
前記底板と長辺側板との固定に際し、底板の長辺側端部を上下両面より挟持するとともに長辺側板の下端部を内外両面より挟持して固定ができる固定部材と、前記長辺側板と短辺側板との固定に際し、短辺側板の側端部を内外両面より挟持するとともに長辺側板の側端部を内外両面より挟持して固定ができる固定部材を用いることにより箱体としての断熱箱を形成することを特徴とした、組立式断熱箱。
【請求項２】
底板の長辺側端部の上下両面からの挟持と、長辺側板の下端部の内外両面からの挟持と、短辺側板の側端部の内外両面からの挟持と、長辺側板の側端部の内外両面からの挟持において、各固定部材に具備した挟持辺の内側端部に突起部を設け、該突起部と当接する硬質合成樹脂板又は硬質合成樹脂板及び発泡合成樹脂板の部位に削成した保持溝に前記突起部を挿着して固定することを特徴とする、請求項１に記載の組立式断熱箱。
【考案の詳細な説明】
【技術分野】
【０００１】  本考案は、箱内に入れた物の鮮度を保つことができる断熱箱に関し、予め箱型に成形したものではなく使用時において組立て使用する、組立式断熱箱に関するものである。
【背景技術】
【０００２】  従来、箱内に入れた物の鮮度を保つべく断熱性を有した断熱箱として、ポリスチレンなどを原料とした発泡合成樹脂製の断熱箱が使用されている。該断熱箱に入れる用途として、アイスや冷凍食品などを入れる小さなものから、さらに大きくは魚などを入れるものなど多様にある。また特殊用途として愛玩動物用棺などがある。【０００３】  上記例の断熱箱は、箱としてすぐに使用できるよう、箱型に一体成形して製造されるのが一般的である。また特殊用途として挙げた愛玩動物用棺も同様であるが、本願出願人による実用新案登録第３１８５４３１号にあっては、保管や輸送の際に嵩張らないように構成した愛玩動物用棺を提案した。【０００４】
【特許文献１】実用新案登録第３１８５４３１号
【考案の開示】
【考案が解決しようとする課題】
【０００５】  上記箱型に一体成形して製造した断熱箱は保管や輸送の際に嵩張るため、一定容積の保管庫や輸送トラックに詰め込む際において、保管効率の低下や保管コストの上昇及び輸送効率の低下や輸送コストの上昇を招くという問題点があった。【０００６】  また上記公報における愛玩動物用棺は、輸送効率を改善すべく底板の各辺縁部にヒンジ状の連結部を介して側板を設けた構造とし、保管や輸送時においては底板と側板を倒伏して嵩を減らし、使用時においては前記側板を起立して各側板同士を固定部材にて結合するものであるが、前記倒伏状態では厚さは薄くなるものの平面積が大きくなってしまうという問題点があった。【０００７】  一般的な断熱箱を上記愛玩動物用棺と同じ構造した場合も同様の問題点となる。これは、当該構造の断熱箱を業務用として大量に使用する場合は専用トラックで輸送するために問題は少ないが、少数の場合は宅配便で輸送することになり、平面積が大きくなると宅配便の運賃を決定する縦・横・高さの３辺の合計サイズが大きくなり、梱包費や運賃が高くなってしまうためである。【０００８】  本考案は、上記の問題点を解決するために成されたものであり、箱内に入れた物の鮮度を保つことができる断熱箱に関し、使用時において組立て使用する構造と、組立前の各部材がコンパクトに纏めることができる構造を有し、保管や輸送の際に嵩張ることのない、組立式断熱箱を提供することを目的とする。
【課題を解決するための手段】
【０００９】  上記課題を解決するため、本考案の組立式断熱箱は、発泡合成樹脂板の外面又は外面及び内面の両面に前記発泡合成樹脂板の厚さに対して十分薄い硬質合成樹脂板を積層して成る板材を、方形状の底板と、該底板の長辺側両端部に垂直に配置して壁面を成す長辺側板と、該底板の短辺側両端部に垂直に配置して壁面を成す短辺側板とに形成して構成し、
前記底板と長辺側板との固定に際し、底板の長辺側端部を上下両面より挟持するとともに長辺側板の下端部を内外両面より挟持して固定ができる固定部材と、前記長辺側板と短辺側板との固定に際し、短辺側板の側端部を内外両面より挟持するとともに長辺側板の側端部を内外両面より挟持して固定ができる固定部材を用いることにより箱体としての断熱箱を形成する。【００１０】  上記底板の長辺側端部の上下両面からの挟持と、長辺側板の下端部の内外両面からの挟持と、短辺側板の側端部の内外両面からの挟持と、長辺側板の側端部の内外両面からの挟持において、各固定部材に具備した挟持辺の内側先端部に突起部を設け、該突起部と当接する硬質合成樹脂板又は硬質合成樹脂板及び発泡合成樹脂板の部位に削成した保持溝に前記突起部を挿着して固定する。
【考案の効果】
【００１１】  本考案の組立式断熱箱は、底板と長辺側板と短辺側板及び固定部材から構成され、使用時において組立て使用する構造と、組立前の各部材をコンパクトに纏めることができる構造を有しているため、保管や輸送の際に嵩張ることがなく、保管効率の低下や保管コストの上昇及び輸送効率の低下や輸送コストの上昇を大幅に抑えることができるという効果を奏する。
【考案を実施するための最良の形態】
【００１２】  本考案を実施するための最良の形態を図を用いて説明する。図１は本考案の本考案の組立式断熱箱の斜視図である。該図に示すように、本考案の組立式断熱箱１は、発泡合成樹脂板の外面又は外面及び内面の両面に前記発泡合成樹脂板の厚さに対して十分薄い硬質合成樹脂板を積層して成る板材を、方形状の底板２と、該底板２の長辺側両端部に垂直に配置して壁面を成す長辺側板６と、該底板２の短辺側両端部に垂直に配置して壁面を成す短辺側板１１とに形成して構成する。【００１３】  上記の組立式断熱箱１を構成する底板２と長辺側板６及び短辺側板１１の各発泡合成樹脂板３，７，１２の厚さを２０ｍｍとした場合、各硬質合成樹脂板４，８，１３の厚さは０．５〜１ｍｍが好適であるが特に限定するものではない。また前記各発泡合成樹脂板３，７，１２の厚さが２０ｍｍより薄い又は厚い場合には、各硬質合成樹脂板４，８，１３の厚さもそれに相応しい厚さとする。【００１４】  図２は本考案の組立式断熱箱で用いる固定部材の斜視図であり、後述する底板２と長辺側板６との固定及び長辺側板６と短辺側板１１との固定に用いる固定部材１５は、挟持辺１６と挟持辺１７とでＬ字状に成形するとともに前記挟持辺１７の反対側に挟持辺１９と挟持辺２０とでＣ字状に成形した長尺の樹脂製部材である。前記挟持辺１６と挟持辺１７の内側には固定溝１８が形成され、前記挟持辺１９と挟持辺２０の内側には固定溝２１が形成される。なお挟持辺１６と挟持辺１９および挟持辺２０を各固定溝１８，２１の内側に僅かに傾斜して成形すれば、底板２と長辺側板６および短辺側板１１の各側端部への挟持力が増大して好適である。また挟持辺１６の内側先端部に突起部２２と、挟持辺１９の内側先端部に突起部２３を設ける。【００１５】  図３は本考案の組立式断熱箱を構成する底板の斜視図であり、（ａ）は固定部材１５の挿着前の状態、（ｂ）は固定部材１５の挿着後の状態を示している。図１における底板２と長辺側板６との固定に際し、底板２の長辺側端部を上下両面より挟持するとともに長辺側板６の下端部を内外両面より挟持して固定ができる固定部材１５を、図中の鎖線で示すように固定部材１５の後端を底板２の長辺側端部の先端よりスライドして挿着する。このとき、固定部材１５に具備した挟持辺１６の内側先端部に設けた突起部２２を底板２の外面に積層した硬質合成樹脂板４と当接する部位に削成した保持溝５内に挿着することにより、前記突起部２２と保持溝５とが噛み合って固定溝１８より外れることがない。なお前記固定部材１５の上面両端部には、後述の長辺側板６と短辺側板１１との固定に用いる固定部材１５を嵌合するための切欠部２６を切削しておく。該挿着工程は予め製造者側で行っておいても構わない。その場合、使用者側での作業工程が減りサービス向上となる。【００１６】  図６は本考案の組立式断熱箱を構成する短辺側板の斜視図であり、（ａ）は固定部材１５の挿着前の状態、（ｂ）は固定部材１５の挿着後の状態を示している。図１における長辺側板６と短辺側板１１との固定に際し、短辺側板１１の側端部を内外両面より挟持するとともに長辺側板６の側端部を内外両面より挟持して固定ができる固定部材１５を、図中の鎖線で示すよう��固定部材１５の後端を短辺側板１１の両側端部の先端よりスライドして挿着する。このとき、固定部材１５に具備した挟持辺１９の内側先端部に設けた突起部２３を短辺側板１１の外面に積層した硬質合成樹脂板１３と当接する部位に削成した保持溝１４内に挿着することにより、前記突起部２３と保持溝１４とが噛み合って固定溝２１より外れることがない。該工程も予め製造者側で行っても構わない。その場合、使用者側での作業工程が減りサービス向上となる。【００１７】  図４は本考案の組立式断熱箱を構成する長辺側板の斜視図である。該図において、長辺側板６の外面に積層した硬質合成樹脂板８の下端部には、底板２の長辺側端部に挿着した固定部材１５に具備した挟持辺１９の内側先端部に設けた突起部２３を挿着するための保持溝９が削成され、該硬質合成樹脂板８の両側端部には短辺側板１１の側端部に挿着した固定部材１５に具備した挟持辺１６の内側先端部に設けた突起部２２を挿着するための保持溝１０が削成される。【００１８】  図７は本考案の組立式断熱箱の組立手順を示す斜視図であり、本考案の組立式断熱箱を構成する底板２と長辺側板６と短辺側板１１及びこれら各板材を挟持して固定する複数の固定部材１５を用いて箱体としての断熱箱を形成する手順を説明する。【００１９】  まず、上記説明で述べたように、底板２の長辺側端部に固定部材１５を挿着固定した状態の底板２と、短辺側板１１の両側端部に固定部材１５を挿着固定した状態の短辺側板１１を準備する。次に、図中の鎖線で示すように長辺側板６の外面に積層した硬質合成樹脂板８の下端部に削成した保持溝９内に、底板２の固定部材１５に具備した挟持辺１９の内側先端部に設けた突起部２３とが嵌合するように挿着固定し、底板２に各長辺側板６を垂直に対向して配置する。次に、長辺側板６の外面に積層した硬質合成樹脂板８の両側端部に削成した保持溝１０内に、各短辺側板１１の固定部材１５に具備した挟持辺１６の内側先端部に設けた突起部２２とが嵌合するように上面部より挿着固定することにより箱体としての断熱箱を形成することができる。【００２０】  図５は図１におけるＡ−Ａ断面図であり、（ａ）は上述したように固定部材１５に具備された挟持辺１６と挟持辺１７とで長辺側板６の端部を挟持して固定するとともに、挟持辺１６の内側先端部に設けた突起部２２を長辺側板６の外面に積層した硬質合成樹脂板８と当接する部位に削成した保持溝１０と嵌合することにより固定溝１８より外れることがなく固定され、同様に固定部材１５に具備された挟持辺１９と挟持辺２０とで短辺側板１１の端部を挟持して固定するとともに、挟持辺１９の内側先端部に設けた突起部２３を短辺側板１１の外面に積層した硬質合成樹脂板１３と当接する部位に削成した保持溝１４と嵌合することにより固定溝２１より外れることがなく固定される。また（ｂ）も（ａ）と同様に挟持辺７に突起部２４と挟持辺２０に突起部２５を設け、それぞれ長辺側板６の発泡合成樹脂板７と短辺側板１１の発泡合成樹脂板１２の当接する部位に削成した保持溝と嵌合させ、（ｃ）も（ａ）と同様に挟持辺７に突起部２４と挟持辺２０に突起部２５を設け、それぞれ長辺側板６の内面に積層した硬質合成樹脂板８と短辺側板１１の内面に積層した硬質合成樹脂板１３の当接する部位に削成した保持溝と嵌合させている状態を示しており、（ａ）より（ｂ）、（ｂ）より（ｃ）と、より強力に固定することができ、箱体の大きさや利用目的に応じて選択して構わない。【００２１】  上記のようにして組立てた断熱箱において、短辺側板１１の底面部と当接する底板２の上面に、薄いゴムシールやゴムテープなどのパッキン部材２７を貼着すれば、水漏れなどの防止ができて好適となる。【００２２】  また上記断熱箱の底板２の短辺側板側の側面部と、長辺側板６と短辺側板１１の上面部は発泡合成樹脂板３，７，１２の素材自体が現れるため、保護用の樹脂部材（図示せず）を挿着固定しても構わない。【００２３】  以上のように、本考案の組立式断熱箱１は、使用時において組立て使用する構造を有するために保管や輸送の際に嵩張ることがなく、宅配便で輸送する際も例えば底板２の上に長辺側板６と短辺側板１１と各固定部材１５とを重ねてコンパクトに纏めることができるため、梱包費や運賃を安く抑えることができることになる。
【産業上の利用可能性】
【００２４】  本考案の組立式断熱箱は、箱内に入れた物の鮮度を保つことが特徴であるため、アイスや冷凍食品を始め魚などの食料品が好適であるが、愛玩動物用棺としても利用することができ、さらには断熱が不要な用途にも利用することができる。なお上述の説明において蓋に関して明記していないが、蓋付きの箱としても利用することができる。
【図面の簡単な説明】
【００２５】
【図１】本考案の組立式断熱箱の斜視図である。
【図２】本考案の組立式断熱箱で用いる固定部材の斜視図である。
【図３】本考案の組立式断熱箱を構成する底板の斜視図である。
【図４】本考案の組立式断熱箱を構成する長辺側板の斜視図である。
【図５】図１におけるＡ−Ａ断面図である。
【図６】本考案の組立式断熱箱を構成する短辺側板の斜視図である。
【図７】本考案の組立式断熱箱の組立手順を示す斜視図である。
【符号の説明】
【００２６】  １  組立式断熱箱
２  底板
３  発泡合成樹脂板
４  硬質合成樹脂板
５  保持溝
６  長辺側板
７  発泡合成樹脂板
８  硬質合成樹脂板
９  保持溝
１０  保持溝
１１  短辺側板
１２  発泡合成樹脂板
１３  硬質合成樹脂板
１４  保持溝
１５  固定部材
１６  挟持辺
１７  挟持辺
１８  固定溝
１９  挟持辺
２０  挟持辺
２１  固定溝
２２  突起部
２３  突起部
２４  突起部
２５  突起部
２６  切欠部
２７  パッキン部材
【図１】
0003208996.tif 000003
【図２】
0003208996.tif 000004
【図３】
0003208996.tif 000005
【図４】
0003208996.tif 000006
【図５】
0003208996.tif 000007
【図６】
0003208996.tif 000008
【図７】
0003208996.tif 000009